Podtech/llm-jp-corpus-v4-ja_patent huggingface dataset:
(57)【要約】      （修正有）【課題】ホームこたつ上に載置する天板及び掛布団が移動することのないようにしたホームこたつ天板固定装置を提供する。【解決手段】固定具Ａを予め天板四隅に嵌め込んだ天板を、こたつ本体上に掛布団１１を被せると共に掛布団の上に載置することで、こたつ本体の周枠７と固定具Ａの支持片２間で掛布団１１は挟持され天板はもちろん掛布団も使用中の些細な外圧では位置ずれを起こさずに安心して暖を取ることができ、さらに、構造が簡単で必要に応じ着脱が容易にできて便利なうえ、また天板を嵌め込む挿入溝の先端部分を狭窄することで挿入する天板の厚み幅に余裕を持たせることができ、既に一般に使用されているホームこたつ天板にも多少は対応することができ利用される範囲が広まる。【選択図】図２
0003149816.tif 000002
【実用新案登録請求の範囲】
【請求項１】
平面が円錐台形状で両端にコ字状の天板挿入溝と、さらに、両挿入溝の下方に支持片を設けた構造の固定具を、ホームこたつ上に載置する天板の四隅先端より嵌め込み、そして対面する固定具をバンド等で締着したことを特徴とする、ホームこたつ天板固定装置。
【請求項２】
ホームこたつ上に載置する天板の裏面四隅の先端部で隣接する両縁にスライド溝を設け、そしてスライド溝にＬ字形状の固定具をネジで固着したことを特徴とする、ホームこたつ天板固定装置。
【考案の詳細な説明】
【技術分野】
【０００１】本考案は、ホームこたつ上に載置する天板及び掛布団が移動することのないようにしたホームこたつ天板固定装置に関する。
【背景技術】
【０００２】従来から、ホームこたつはこたつ本体の上から掛布団を被せ、この掛布団を介してこたつ本体上に天板を載置して、こたつ本体の内部に足を入れ暖をとると共に、天板がテーブルとしての機能をしている。
【考案の開示】
【考案が解決しようとする課題】
【０００３】従来のホームこたつでは、こたつ本体上に掛布団を被せると共に掛布団の上に天板を単に載置しているだけで、こたつ本体に対して掛布団及び天板は固定することができず、使用中に掛布団及び天板が滑りにより位置ずれが生じる、さらに、天板の位置ずれする際に生じる振動で天板上の物品の脱落や転倒等もあり、食卓テーブルとして利用することも多く鍋料理のようにテーブル上で火気を使用した場合は特に危険でもある。【０００４】本考案の課題は、上記の問題点を解決するため、こたつ本体に対して掛布団及び天板の位置ずれの発生を防止でき、さらに、必要に応じ着脱が容易にできるこたつ天板固定装置を提供する。
【課題が解決するための手段】
【０００５】本考案を解決するために、第１の考案は、図１に示すように、平面が円錐台形状で両端にコ字状の挿入溝（１）を設け、さらに、両挿入溝の下方に支持片（２）を設けた構造の固定具（Ａ）を天板の四隅に嵌め込み、対面する固定具（Ａ）のバンド取り付け孔（３）を利用してバンド等で締着する。
【０００６】第２の考案は、図３に示すように、Ｌ字形状で長辺（４）側に天板取り付け用の長孔（６）を設けた固定具（Ｂ）を、図５（Ｙ）に示すように、天板の裏面四隅の隣接する両縁に固定具の長辺（６）がスライドしうる幅と深さを有する凹溝と凹溝内に固定具を固着するためのネジ取り付け孔（９）を設けたスライド溝（１０）に固定具（Ｂ）を、図４に示すよう、ネジ止めにより固着する。
【考案の効果】
【０００７】請求項１記載の本考案のこたつ天板固定装置は、図５（Ｘ）に示すように、固定具（Ａ）を予め天板四隅に嵌め込んだ天板を、こたつ本体上に掛布団（１１）を被せると共に掛布団の上に載置することで、図２に示すように、こたつ本体の周枠（７）と固定具（Ａ）の支持片（２）間で掛布団（１１）は挟持され天板はもちろん掛布団も使用中の些細な外圧では位置ずれを起こさずに安心して暖を取ることができ、さらに、構造が簡単で必要に応じ着脱が容易にできて便利なうえ、また天板を嵌め込む挿入溝（１）の先端部分を狭窄することで挿入する天板の厚み幅に余裕を持たせることができ、既に一般に使用されているホームこたつ天板にも多少は対応することができ利用される範囲が広まる。
【０００８】請求項２記載の本考案は、図４に示すように、Ｌ字形状の固定具（Ｂ）の長辺（４）を天板裏面の各スライド溝（１０）に掛布団（１１）の厚みを考慮してネジ（８）で固着して、図５（Ｙ）に示すように、こたつ本体に掛布団を被せると共に掛布団の上に載置することでこたつ本体の周枠と固定具の支持片とで掛布団が挟持され使用中の些細な外圧では掛布団や天板の位置ずれを起こさず安全に暖をとることができる。
【考案を実施するための最良の形態】以下、この考案の実施の形態を説明する。【０００９】本考案の第１実施例は、プラスチック材等で形成され、図１に示すように、平面が円錐台形状で両端に先端の挿入部分が僅かに狭窄にしたコの字状の挿入溝（１）を設け、さらに、両挿入溝の下側にこたつ本体の周枠（７）の幅と同等の長さと、掛布団（１１）の厚みに相当する幅を外側に膨らみを持たせた支持片（２）を設ける、さらに、平面部分の一端に締着用のバンド取り付け孔（３）を設けたことを特徴とする。【００１０】本考案の第２実施例は、図３に示すように、所要の幅で側面がＬ字形状の固定具（Ｂ）で、長辺（４）側に天板に取り付け用の長孔（６）を設け、さらに、支持片となる短辺（５）側はこたつ本体の周枠の幅と同等の長さとした固定具（Ｂ）を、図４及び図５（Ｙ）に示すように、こたつ天板の裏面四隅の両縁に固定具（Ｂ）の長辺（４）がスライドしうる幅と深さを有する凹溝と凹溝中程に複数のネジ取り付け孔（９）を備えたスライド溝（１０）を設けたことを特徴とする。
【図面の簡単な説明】
【００１１】
【図１】実施例１の固定具で上方からの斜視図。
【図２】同上の要部を示す縦断面図。
【図３】実施例２の固定具で上方からの斜視図。
【図４】同上の要部を示す縦断面図。
【図５】（Ｘ）  実施例１の使用状態の斜視図で固定具の一部分を透視した図。（Ｙ）  実施例２の使用状態の斜視図で固定具の一部を取り外し透視した図。
【符号の説明】
【００１２】  （Ａ）    実施例１の固定具
（Ｂ）    実施例２の固定具
（１）    挿入溝
（２）    支持片
（３）    バンド取り付け孔
（４）    長辺
（５）    短辺
（６）    長孔
（７）    周枠
（８）    ネジ
（９）    ネジ取り付け孔
（１０）  スライド溝
（１１）  掛布団
【図１】
0003149816.tif 000003
【図２】
0003149816.tif 000004
【図３】
0003149816.tif 000005
【図４】
0003149816.tif 000006
【図５】
0003149816.tif 000007
(57)【要約】      （修正有）【課題】毛髪をピンなしでしっかりと固定することができるヘアカーラーを提供する。【解決手段】毛髪を巻いてカールするヘアカーラーで、毛髪を巻いて回転させる回転軸方向に、毛髪をはさむためのスキマをつけたことを特徴とするヘアカーラーである。スキマに毛髪をはさんでしっかりと巻くことにより、きれいなヘアカールができ、またピンを使用しないので資源の節約にもなる。【選択図】図６
0003149819.tif 000002
【実用新案登録請求の範囲】
【請求項１】
毛髪を巻いてカールするヘアカーラーで、毛髪を巻いて回転させる回転軸方向に、毛髪をはさむためのスキマをつけたカーラー。
【考案の詳細な説明】
【技術分野】
【０００１】本考案は毛髪を巻いてカールさせるためのヘアカーラーに関するものである。
【背景技術】
【０００２】従来のヘアカーラーは［図１］のように外側にナイロンパイルシートを巻いたものや［図２］のようにプラスチックコアにスポンジ体を巻いたものがある。
【考案の開示】
【考案が解決しようとする課題】
【０００３】従来のヘアカーラー［図１］の外側にナイロンパイルシートを巻いたもので毛髪を巻いたのが［図３］で、ナイロンパイルシートに接している部分は毛髪をとらえられるが、１回以上巻いて毛髪の上に毛髪が来た場合、髪を固定することができない。［図２］のプラスチックコアにスポンジ体を巻いたものでは、［図４］のように毛髪をとらえる部分がないので［図５］のようにピンを使って毛髪を固定しなくてはならない。
【課題を解決するための手段】
【０００４】［図６］［図７］のように毛髪を巻いて回転させる回転軸方向に毛髪をはさむためのスキマをつけた本考案のヘアカーラーを提供する。
【考案の効果】
【０００５】本考案のヘアカーラー［図８］を上下方向に手で開いた状態が［図９］であり、この開いた部分に毛髪をはさむ状態が［図１０］であり、髪をはさんだ状態が［図１１］で、［図３］と比べてしっかり多くの毛髪をヘアカーラーに巻きつけることができる。
本考案のヘアカーラー［図１２］を上下方向に手で開いた状態が［図１３］で、この開いた部分に毛髪をはさむ状態が［図１４］で、毛髪をはさんだ状態が［図１５］でピンなしで髪を固定することができる。
【実施例】
【０００６】［図８］［図９］［図１０］［図１１］のようにナイロンパイルシートのヘアカーラーでは、従来の使用状態［図３］より毛髪をしっかり固定している。［図１２］［図１３］［図１４］［図１５］のようにスポンジ体のヘアカーラーでは従来の使用状態［図５］がピンを使って毛髪を固定しているが、本考案でピンなしで毛髪を固定することができている。
【産業上の利用可能性】
【０００７】本考案［図８］［図９］［図１０］［図１１］のように毛髪をしっかり巻くことによりきれいなヘアカールができる。また本考案［図１２］［図１３］［図１４］［図１５］のようにピンを使用しないので、安全でピンの資源の節約にもなる。
【図面の簡単な説明】
【０００８】
【図１】従来のナイロンパイルシートを巻いたヘアカーラー
【図２】従来のプラスチックコアにスポンジ体を巻いたヘアカーラー
【図３】従来のナイロンパイルシートを巻いたヘアカーラーで髪を巻いた状態
【図４】従来のプラスチックコアにスポンジ体を巻いたヘアカーラーで髪を巻こうとした状態
【図５】従来のプラスチックコアにスポンジ体を巻いたヘアカーラーで髪を固定するためにピンで止めた状態
【図６】本考案のナイロンパイルシートを巻いたヘアカーラーにスキマをつけたもの
【図７】本考案のプラスチックコアにスポンジ体を巻いたヘアカーラーにスキマをつけたもの
【図８】本考案のヘアカーラーを上下方向に開こうとする図
【図９】本考案のヘアカーラーを上下方向に開いた図
【図１０】本考案のヘアカーラーを上下方向に開いて髪を巻きつけた図
【図１１】本考案のヘアカーラーで髪を固定した図
【図１２】本考案のヘアカーラーを上下方向に開こうとする図
【図１３】本考案のヘアカーラーを上下方向に開いた図
【図１４】本考案のヘアカーラーを上下方向に開いて髪を巻きつけた図
【図１５】本考案のヘアカーラーで髪を固定した図
【図１】
0003149819.tif 000003
【図２】
0003149819.tif 000004
【図３】
0003149819.tif 000005
【図４】
0003149819.tif 000006
【図５】
0003149819.tif 000007
【図６】
0003149819.tif 000008
【図７】
0003149819.tif 000009
【図８】
0003149819.tif 000010
【図９】
0003149819.tif 000011
【図１０】
0003149819.tif 000012
【図１１】
0003149819.tif 000013
【図１２】
0003149819.tif 000014
【図１３】
0003149819.tif 000015
【図１４】
0003149819.tif 000016
【図１５】
0003149819.tif 000017
(57)【要約】      （修正有）【課題】立体的な模様や文字を作ることができるラテアート形成用型枠を提供する。【解決手段】針金で立体的ラテアート形成用型枠を作るとともに、コーヒー又は紅茶の液体の中からこの型枠を引き上げるための針金の取手をつけることとし、コーヒー又は紅茶にフォームドミルク（空気を混ぜて泡立たせたミルク）を加えたものから立体的ラテアート形成用型枠をゆっくり引き上げることにより、コーヒー又は紅茶の表面上に立体的な模様や文字を短時間かつ容易に作るものとする。【選択図】図１
0003149820.tif 000002
【実用新案登録請求の範囲】
【請求項１】
立体的ラテアート（フォームドミルク（空気を混ぜて泡立たせたミルク）を加えたコーヒー又は紅茶の液体の表面上に立体的な模様や文字を作成したもの）を作成するための「取手のついた針金による型枠」
【考案の詳細な説明】
【技術分野】
【０００１】本考案は、立体的ラテアートを作るための型枠に関するものである。
【背景技術】
【０００２】ラテアート（フォームドミルク（空気を混ぜて泡立たせたミルク）を加えたコーヒーや紅茶の液体の表面上の泡に模様や文字を描いたもの）については、コーヒー又は紅茶の液体の上の泡に平面的に模様や文字を手作業で描いていた。
【考案の開示】
【考案が解決しようとする課題】
【０００３】従来のラテアートは平面的に模様や文字を描くことはできるものの、立体的な模様や文字を作ることはできなかったが、それを解決しようとするものである。
【課題を解決するための手段】
【０００４】本考案は、針金で、ラテアートの型枠を作り、それをフォームドミルクを加えたコーヒー又は紅茶の液体部分に沈めた後に、それをゆっくり引き上げることによりコーヒー又は紅茶の上部の泡部分に立体的な文字等のデザインが浮き上がらせることができる。これにより、課題を解決している。
【考案の効果】
【０００５】上述のように針金で作った型枠を作り、使用することにより、短時間でかつ容易に同じ立体的ラテアートを作ることができる。
【考案を実施するための最良の形態】
【０００６】型枠の針金は直径１．２ｍｍのステンレスピアノ線を使用することにより、立体的ラテアートをよりくっきりとかつ長い期間保つことができ、また、針金を型枠に取り付けることにより、自在に型枠をカプチーノから引き上げることができる。これにより立体的ラテアートを形成することができる。
【実施例】
【０００７】以下、添付図面に従って一実施例を説明する。
図１の１のように針金で作りたい立体的ラテアートの型枠を作る。あらかじめ図２のように、１に型枠引き上げ用の針金である２を１に垂直につけておく。図３のコーヒー又は紅茶用のカップにコーヒー又は紅茶とフォームドミルク（空気を混ぜて泡立たせたミルク）を入れ、１の針金の型枠をコーヒー又は紅茶の泡の上部から液体部分まで沈めた後、それをゆっくりと引き上げる。すると図の４のような立体的なラテアートがコーヒー又は紅茶の上にくっきりと浮き上がる。
【図面の簡単な説明】
【０００８】
【図１】本考案の立体的ラテアート形成用型枠の一実施例を斜め上からみた図である。
【図２】本考案の立体的ラテアート形成用型枠の一実施例を横からみた図である。
【図３】本考案の立体的ラテアート形成用型枠の一実施例のうち型枠をコーヒー又は紅茶に沈める瞬間の図である。
【図４】本考案の立体的ラテアート形成用型枠の一実施例のうち型枠をコーヒー又は紅茶から引き抜いた後、できあがった立体的ラテアートの図である。
【符号の説明】
【０００９】  １．立体的ラテアート形成用型枠
２．立体的ラテアート形成用型枠に取り付ける型枠引き上げ用の針金
３．コーヒー又は紅茶用のカップ
４．形成された立体的ラテアート
【図１】
0003149820.tif 000003
【図２】
0003149820.tif 000004
【図３】
0003149820.tif 000005
【図４】
0003149820.tif 000006
(57)【要約】      （修正有）【課題】消臭・抗菌・除菌剤成分を含有又は担持してなる発熱剤に、水を加え発生する蒸気を利用した安価・簡易・安心・エコロジ−商品として速効性のある消臭・抗菌・除菌剤を提供する。【解決手段】紙又は樹脂、陶器、ガラス、金属などからなる容器の側面に穴をあけ、植物から採取又は抽出した消臭効果のある成分もしくは同質の成分を含有、又は担持してなる粉末発熱剤を容器の底部に置き、上部開口部から水を加え、蒸気を発生させる構造の簡易消臭装置である。高価な装置や環境悪化させる化石燃料を用いず、蒸気の拡散力を利用するため生石灰とアルミ微粉末を用いて発熱剤とする。【選択図】図２
0003149817.tif 000002
【実用新案登録請求の範囲】
【請求項１】
紙又は樹脂、陶器、ガラス、金属などからなる容器の側面に穴をあけ、植物から採取又は抽出した消臭効果のある成分もしくは同質の成分を含有、又は担持してなる粉末発熱剤を容器の底部に置き、上部開口部から水を加え、蒸気を発生させる構造の簡易消臭装置。
【請求項２】
紙又は樹脂、陶器、ガラス、金属などからなる二重構造の容器の内側容器の底部面に穴をあけ、植物から採取又は抽出した抗菌効果のある成分もしくは同質の成分を含有、又は担持してなる固形発熱剤に水を加えて、蒸気を発生させる構造の簡易消臭装置。
【請求項３】
紙又は樹脂、陶器、ガラス、金属などからなる容器の側面に穴をあけ、銀イオンを含有、又は担持してなる粒状発熱剤に水を加えて、蒸気を発生させる構造の簡易抗菌装置。
【請求項４】
紙又は樹脂、陶器、ガラス、金属などからなる二重構造の容器の内側容器の底部面に穴をあけ、安定化二酸化塩素を含有、又は担持してなる金属発熱混合剤に水を加えて、蒸気を発生させる構造の簡易抗菌装置。
【考案の詳細な説明】
【技術分野】
【０００１】本考案は、水を添加するだけで安全・簡単に消臭、抗菌効果を発揮する蒸気を利用する装置に関するものである。
【背景技術】
【０００２】消臭、抗菌・除菌を目的とする技術方策、商品は古くより知られている。
【考案の開示】
【考案が解決しようとする課題】
【０００３】近年  化石燃料、化学物質による大気汚染、地球温暖化など環境の悪化で、生活空間においても健康、環境などが注目視されています。その問題改善には、優れた先行技術や上市品も多く存在しています。しかし従来の吸着、香料のマスキング、中和、分解作用の消臭・抗菌目的の上市品は、放出式（スプレ−式）、設置式いずれであっても装置、電力、ガス  等が要ったり、装置が不要の場合も原因物質が直接触れることで目的を達成するものであって、特に主流のスプレ−等の放出式は、水滴１００−３００μｍで塗被物に噴霧し、その近辺と狭い範囲での効果である。しかし塗被物の風合いを損なう場合も考えられる等の欠点を有していた。
本考案は、ガス、電池、電力装置は要らず、微細な蒸気ミストは水滴１０−３０μｍであって空間の隅々まで蒸散し、速やかに効果が発揮できる。
【課題が解決するための手段】
【０００４】本考案の前記発熱剤としては、精製された生石灰とアルミ微粉末を用いた該発熱剤に水を加え、発熱する蒸気を利用し、消臭、抗菌、除菌剤を空中に拡散させる技術である。発熱は簡単な作業により短時間で生じ、安全な温度で長く持続することができる。
拡散力は非常に高く、部屋の隅々まで瞬時にして広まる。また部屋の広さや持続時間など成分の添加具合により、自由にコントロ−ルできる。
【０００５】本考案の消臭成分は、緑茶抽出物、柿抽出物、檜抽出物、熊笹抽出物、ヨモギ抽出物などの成分を１種類もしくは２種類以上を組合せて用いると良い。しかし趣向的なことを鑑み、他の天然もしくは合成成分であっても良く、特に制限されるものではない。
【０００６】本考案の抗菌成分は、グレ−プフル−ツ種子抽出物、緑茶抽出物、檜抽出物、柿抽出物、竹抽出物、ヨモギ抽出物などの成分を１種類もしくは２種類以上を組合せて用いると良い。しかし趣向的なことを鑑み、他の天然もしくは合成成分であつても良く、特に制限されるものではない。
【考案を実施するための形態】
【０００７】図１に示す様に使い切り式と、図２に示す様に補充式となる。補充式は、一度終わった発熱剤は新しく取り換えて、固形或は顆粒或は粉末の消臭・抗菌・除菌剤加工品は、２−３回繰り返す構造となる。固形、顆粒或は粉末の消臭・抗菌・除菌剤加工品とは、シリカゲルやアルミナやセラミック板  等に消臭剤や抗菌剤を担持或は吸着させたものである。
【０００８】発熱剤の蒸気は、９０℃以上に達するため、ハンドリングの際の事故を防ぐ意味で容器の構造を図３及び図４の様にし、防熱構造とし、尚且つ目的の消臭及び抗菌剤を効率良く、安全に拡散させる構造となっている。
【考案の効果】
【０００９】本考案の蒸気による消臭・抗菌・除菌は、部屋の隅々まで瞬時に拡散し、効果を発揮する。高価な装置も使わず、化石燃料も使わない、安価で地球に優しい安全で安心して使用できる優れものである。
【図面の簡単な説明】
【００１０】
【図１】本考案の蒸気を利用した消臭・抗菌・除菌剤を構成する「使い切り式」の模式断面図である。
【図２】本考案の蒸気を利用した消臭・抗菌・除菌剤を構成する「補充式」の模式断面図である。
【図３】本考案の蒸気を発生させる構造の側面部に穴をあけた簡易容器の模式断面図である。
【図４】本考案の蒸気を発生させる二重構造式の簡易容器の模式断面図である。
【符号の説明】
【００１１】１．容器    ２．発熱剤と消臭・抗菌・除菌剤の混合品
３．水    ４．発熱剤    ５．消臭・抗菌・除菌剤加工品
６．外側容器（紙、樹脂、陶器、ガラス、金属  など）
７．穴    ８．内側容器（紙、樹脂、陶器、ガラス、金属  など）
【図１】
0003149817.tif 000003
【図２】
0003149817.tif 000004
【図３】
0003149817.tif 000005
【図４】
0003149817.tif 000006
(57)【要約】      （修正有）【課題】画像表示の目的においてカード並に携行便利な画像表示具を提供する。【解決手段】キャッシュカード型板状体Ａの片面を電子画像表示用ディスプレイ１とし、該板状体Ａの内部に電子画像を表示させるに足る配線回路に基づく電子部品を収容するとともに、電源用の電池２とコンテンツ入り記憶媒体３を収容しまたは収容可能状にして、カード型画像表示具とする。またＯＮ−ＯＦＦ及び画像選択用スイッチ類をしかるべき配線に基づき外面に設ける。【選択図】図１
0003149814.tif 000002
【実用新案登録請求の範囲】
【請求項１】
キャッシュカード型板状体の片面を電子画像表示用ディスプレイとし、該板状体内部に電子画像を表示させるに足る配線回路に基づく電子部品を収容するとともに、電池とコンテンツ入り記憶媒体を収容しまたは収容可能状にして成ることを特徴とするカード型画像表示具。
【請求項２】
ＯＮ−ＯＦＦ及び画像選択用スイッチ類をしかるべき配線に基づき外面に設けた請求項１記載のカード型画像表示具。
【考案の詳細な説明】
【技術分野】
【０００１】この考案は、キャッシュカードに近似する板状の画像表示具に関する。
【背景技術】
【０００２】最近は電子画像もかつてのブラウン管から液晶やプラズマディスプレイに主流が移行し、さらには有機ＥＬも実用化の域に達してきており、消費電力の低減と画質の向上についても著しく進歩してきた。従ってテレビ等では薄型化や大型化が進み、一方、携帯電話機等のモニターでも画像の精細化が進んでいる。またこれを可能にするＩＣや記憶媒体も著しく小型化ないし大容量化してきている。【０００３】
【考案の開示】
【考案が解決しようとする課題】
【０００４】このような現状において、小型モニターは携帯電話機、ゲーム機、ＰＤＡ、携帯テレビ、或いは超小型パソコン等において既に用いられているが、これらのモニー（ディスプレイ）はいずれも二義的な必要デバイスとして設けられているものであり、主目的の機能をもつ機器本体は、携帯電話機ですらモニター部に比べてはるかに嵩張る容積と高価格を余儀なくされるものであった。【０００５】本考案はかかる現状に則り、画像表示の目的において最も携帯便利な画像表示具を提供することを課題とする。
【課題を解決するための手段】
【０００６】キャッシュカード型板状体Ａの片面を電子画像表示用ディスプレイ１とし、該板状体Ａの内部に電子画像を表示させるに足る配線回路に基づく電子部品（図示せず）を収容するとともに、電源用の電池２とコンテンツ入り記憶媒体３を収容しまたは収容可能状にして、本考案のカード型画像表示具とする。【０００７】ここでいう「キャッシュカード型板状体」とは、縦横寸法がよく知られたキャッシュカードやテレホンカードの定型寸法と同一または類似であり、厚さは板状と表現するのに適した程度を意味するのであって、当面は実際のキャッシュカードより多少厚めになるとみてよい。勿論その表面はカードのように平坦であるとは限らず、若干の段差や溝等もあり得る。【０００８】電子画像表示用ディスプレイ１は液晶もあり得るが、バックライトを必要としない反射型、或いは有機ＥＬが好ましい。この画像を少なくとも数十万画素レベルで表示する電子回路をカード状板状体内に収納する技術は現在既に達成されている。【０００９】最もシンプルな形態として、電池２と該記憶媒体３が回路接続されることにより画像が表示されるだけのものが挙げられる。すなわち電池の出力がある限りミクロ型ＳＤカードのようなコンテンツ入り記憶媒体３を挿入すると、直ちに画像がディスプレイ１上に表示される如きものである。【００１０】電池２はカード状板体に納まる程度のものでなくてはならないから、例えば薄型リチウムイオン電池等が該当するが、これについては２〜３年以内に実用化されるといわれるポリエーテルを電解質に用いたシート状の全固体型二次電池が特に好ましい。その他、例えば装備された太陽電池に光が当たっている限り画像が表示されるような形態であってもよい。【００１１】またより便利な形態として、ＯＮ−ＯＦＦ及び画像選択用スイッチ類をしかるべき配線に基づき外面に設けたものが挙げられる。これはカード型電卓等で既に採用されているようなタッチ型のものが好ましい。【００１２】その他必要に応じ、外部機器等への接続端子をしかるべき配線に基づき側部等に設けることは任意である。
【考案の効果】
【００１３】本考案によれば、自分で撮影したりダウンロードして得たコンテンツ画像を最低限の見易さとキャッシュカード並の携行便利性とともに極めて手軽かつ低コストに映像化できるという効果がある。
【考案を実施するための最良の形態】
【００１４】全体形状において縦横寸法はキャッシュカード大とし厚さを約３ｍｍとする。ディスプレイは有機ＥＬを用いて表側の約９０％のスペースを占めるようにし、残りのスペースにタッチ型のＯＮ−ＯＦＦスイッチ４及び画像選択用スイッチ５を既存のものと同様に配線接続して設ける。側部にミクロカードなどのメモリカードスロット６及び充電端子７及び外部接続端子８を設け、内部に全固体型シート状リチウムイオン二次電池（図示せず）を収納する。なお本考案はかかる例に限るものでないことは言うまでもない。
【産業上の利用可能性】
【００１５】上記の本考案の製造は既存の技術で十分可能であり、最も望ましい電池も近い将来に実用化されるから、ニーズの高い本考案の産業上の利用可能性は十分にあるといえる。
【図面の簡単な説明】
【００１６】
【図１】本考案一例の見取図
【符号の説明】
【００１７】Ａ……キャッシュカード型板状体
１……電子画像表示用ディスプレイ
２……電池
３……コンテンツ入り記憶媒体
４……ＯＮ−ＯＦＦスイッチ
５……画像選択用スイッチ
６……メモリカードスロット
７……充電端子
８……外部接続端子
【図１】
0003149814.tif 000003
(57)【要約】【課題】疎水性不織布の上面に開口部があるポケット状ケースにおいて、鼻部分を痛めることもなく、立体マスクにもセットしやすく、衛生マスクに着脱できる衛生マスク用保水パッドケースを課題とするものである。【解決手段】疎水性不織布２枚の左右と底を閉ざし上面に開口部があるポケット状ケースにおいて、片面の上部左右端に面ファスナーを設けた事を特徴とする衛生マスク用保水パッドケースで、衛生マスクに着脱可能で落下することがない。【選択図】図１
0003149815.tif 000002
【実用新案登録請求の範囲】
【請求項１】
疎水性不織布２枚の左右と底を閉ざし上面に開口部があるポケット状ケースにおいて、片面の上部左右端に面ファスナーを設けた事を特徴とする衛生マスク用保水パッドケース。
【考案の詳細な説明】
【技術分野】
【０００１】本考案は衛生マスクに装着する着脱可能な保水パッドケースに関する。
【背景技術】
【０００２】従来、水分を含ませた保水パッドを、疎水性不織布の上面に開口部があるポケット状ケースに挿入し、衛生マスクの顔面側にセットして湿度を鼻や喉に与える目的を持つ。疎水性不織布の上面に開口部があるポケット状ケースは肌や唇が濡れず、衛生マスクに着脱可能で落下しない事を目的としている。【０００３】従来、先行技術としては意匠登録第１１５０９２５号などがあるが、これは疎水性不織布の上面に開口部があるポケット状ケースの片面上部全面に面ファスナーを取り付け、衛生マスクに着脱が出来るパッドケースであるが、上部全面の面ファスナーのため、衛生マスクにセットして使用した場合、面ファスナーが鼻部分にあたり皮膚を痛めることがあった。また上部全面の面ファスナーのため、立体マスクにセットする時セットしにくい欠点があった。
【考案の開示】
【考案が解決しようとする課題】
【０００４】本考案はかかる不具合を解決するためになされたもので、面ファスナーで鼻部分を痛めることもなく、立体マスクにもセットしやすく、衛生マスクに着脱できる衛生マスク用保水パッドケースを課題とするものである。
【課題を解決するための手段】
【０００５】上記目的を達成するために、疎水性不織布の上面に開口部があるポケット状ケースにおいて、片面の上部左右端に面ファスナーを設けることにより、面ファスナーで鼻部分を痛めることもなく立体マスクにもセットしやすく使用できる。また衛生マスクに着脱可能で落下を防ぐ。
【考案の効果】
【０００６】このような構成により、本保水パッドケースをプリーツマスクなどにセットし使用した場合、鼻部分に面ファスナーがないため鼻を痛めることがない。またプリーツマスクに着脱できて落下を防ぐ。【０００７】このような構成により、本保水パッドケースを立体マスクなどにセットする時、保水パッドケースの中心部に面ファスナーがないため、立体マスクの奥まで挿入出来てセットしやすい。また立体マスクに着脱しやすく落下を防ぐ。
【考案を実施するための最良の形態】
【０００８】以下、図面に示す本考案を実施するための最良の形態により、本考案を詳細に説明する。なお、これらの本考案の実地例の説明に当たって、本考案の実施例１の形態と同一構成部分には同一の符号を付して重複する説明を省略し、効果や材料、寸法、加工法など重複する説明を省略する。
【実施例１】
【０００９】請求項１による本考案の実施例１である。図１は本考案の実施の形態にかかる疎水性不織布２枚の左右と底を閉ざし上面に開口部があるポケット状ケースの片面の上部左右端に面ファスナーが取り付けられた斜視図である。図２は本考案の実施の形態にかかるポケット状ケースをプリーツマスクにセットする実施例の斜視図である。図３は本考案の実施の形態にかかるポケット状ケースを立体マスクにセットする実施例の斜視図である。【００１０】図１において、疎水性不織布２枚の左右と底を閉ざし上面に開口部があるポケット状ケース１は、疎水性不織布を折りたたみ左右をシールして作成する。ポケット状ケース１の片面上部左右端に２つの面ファスナー２を取り付ける。面ファスナーは直径１０ミリから１５ミリ程度が望ましい。面ファスナーの形状は円形のほか四角形や長方形や楕円形でも良い。面ファスナーの不織布への取り付けは両面テープあるいはホットメルト、溶剤接着、熱溶着により取り付ける。
【実施例２】
【００１１】本考案の使用例である。図２において、片面上部左右端に２つの面ファスナー２が取り付けられたポケット状ケース１をプリーツマスク３にセットする。ポケット状ケース１がプリーツマスク３にセットされると中央上部に面ファスナーがないので、ファスナーにより人間の鼻の部分が痛むことがない。また着脱可能で落下することもない。
【実施例３】
【００１２】本考案の使用例である。図３において、片面上部左右端に２つの面ファスナー２が取り付けられたポケット状ケース１を立体マスク４にセットする時、ポケット状ケース１を二つに折りにして立体マスク４に挿入する。その時ポケット状ケース１の中央に面ファスナーがないので途中で引っかかることもなく、ポケット状ケース１は立体マスク４の奥まで挿入できる。挿入した後ポケット状ケース１を広げると面ファスナー２が立体マスク４に接合しセットが簡単に行なえる。また立体マスクから着脱可能で落下することもない。
【産業上の利用可能性】
【００１３】本考案の疎水性不織布の上面に開口部があるポケット状ケースにおいて、片面の上部左右端に面ファスナーを設けたことで衛生マスク用保水パッドケースは鼻部分を痛めることもなく立体マスクにもセットしやすく、着脱可能で落下を防ぐ衛生マスク用保水パッドケースなので産業上の利用可能性は高くなる。
【図面の簡単な説明】
【００２１】
【図１】本考案の実施例１にかかる構成を示す斜視図である。
【図２】本考案の実施例２にかかる使用例を示す斜視図である。
【図３】本考案の実施例３にかかる使用例を示す斜面図である。
【符号の説明】
【００１４】１    ポケット状ケース
２    面ファスナー
３    プリーツマスク
４    立体マスク
【図１】
0003149815.tif 000003
【図２】
0003149815.tif 000004
【図３】
0003149815.tif 000005
(57)【要約】      （修正有）【課題】自動車のシート等に設置可能で、簡便に使用でき、かつ最適な衛生条件の維持を可能とする排泄物の貯蔵用器を備えた、可搬式衛生モジュールを提供する。【解決手段】シートが配置された浅い容器２の形式のケースと、排泄物のための交換可能な貯蔵容器と３とを有しており、交換可能な貯蔵容器が、バッグの形式で形成されており、バッグの外側層が防水性ポリマ材料で形成されており、バッグの内側に、吸湿性（水分保持性）充填物を有する吸収材料の層４が設けられている。シートが配置されたケースは、浅いが幅広の容器の形式を有しており、自動車シート５への配置の便利さ及びモジュールの反転の防止のために小さな高さを有している。モジュールは付加的にチャイルドシートを装着することができる。【選択図】図１
0003149801.tif 000002
【実用新案登録請求の範囲】
【請求項１】
可搬式衛生モジュールにおいて、シートが配置されたケースと、排泄物の収集のためのバッグの形式の貯蔵容器とを有しており、モジュールのケースが浅い容器の形式を有しており、バッグが、外部防水層を備えて形成されており、バッグの内側に吸湿性充填物の層が存在することを特徴とする、可搬式衛生モジュール。
【請求項２】
貯蔵容器の外側層がポリマ材料から形成されている、請求項１記載の可搬式衛生モジュール。
【請求項３】
モジュールに付加的にチャイルドシートが装着されている、請求項１記載の可搬式衛生モジュール。
【考案の詳細な説明】
【技術分野】
【０００１】
本考案は、人間の生体要求の満足のために意図された装置、特に、作動のためにあらゆるシステム、すなわち給水、電源、排水、の接続又は使用を必要としない衛生装置に関する。
【０００２】
本考案は、人間の衛生手順の実行のための個々の車両における適用が意図されている。
【背景技術】
【０００３】
「可搬式衛生装置」（２００７年３月１０日に発行されたロシア特許第２２９４６８４号明細書）が示されている。この装置は、ボウルと外部環境カバーとから形成されたケースと、ケースに配置されたシートと、フラップカバーと、排泄物のための貯蔵容器とを有している。
【０００４】
「独立した可搬式トイレット」（２００４年３月２０日に発行されたロシア特許第２２２５７０２号明細書）が示されている。
【０００５】
申告された利用可能なモデルへの、技術的観点から最も近いものは、自動車のための可搬式トイレットである（http://www.avto.ru/news/news_6442.html）。このトイレットは、シートが配置されたケースと、排泄物を収集するためのパッケージと、吸収エレメントとを有する可搬式衛生モジュールを示している。吸収エレメント（材料）は、あらゆる表面及び容器の迅速かつ有効なクリーニングのために適用される。
【考案の開示】
【考案が解決しようとする課題】
【０００６】
本考案の課題は、自動車輸送のための可搬式衛生モジュールの発展である。
【課題を解決するための手段】
【０００７】
発展された考案の技術的結果は、排泄物を収集するためのバッグの内部に給湿フィルタが存在することにより、衛生モジュールの使用の簡便さ、及び最適な衛生条件の維持を提供する、設計の単純さである。
【０００８】
可搬式衛生モジュールは、シートが配置された深くない容器の形式のケースと、排泄物のための交換可能なバッグとを有しており、バッグの外側層は、防水性ポリマ材料から形成されている。バッグの内部には、吸湿性充填剤の層が存在している。シートが配置されたケースは、浅いが、かなり幅広の容器の形式を有しており、自動車のシートに収容するのに便利でありかつモジュールの反転を防止するために小さな高さを有している。
【０００９】
モジュールには、付加的にチャイルドシートが装着されることができる。
【考案を実施するための最良の形態】
【００１０】
図１には、可搬式衛生モジュールの概略図が示されており、１はシート、２はモジュールの浅い容器、３は交換可能な貯蔵容器、４は吸収材料層、５は自動車シートである。
【００１１】
可搬式衛生モジュールの適用は以下のように実施される。使用の前に、開放された交換可能な貯蔵容器３が浅いモジュール容器２に配置され、さらに衛生モジュールは自動車シート５に配置され、次いで生理学的要求のために衛生モジュールを使用することが可能である。さらに貯蔵容器３は締め付けられかつ使用される。
【図面の簡単な説明】
【００１２】
【図１】可搬式衛生モジュールの概略図。
【符号の説明】
【００１３】
１  シート、  ２  容器、  ３  交換可能な貯蔵容器、  ４  吸収材料層、  ５  自動車シート
【図１】
0003149801.tif 000003
【手続補正書】
【提出日】平成21年2月6日(2009.2.6)
【手続補正１】
【補正対象書類名】明細書
【補正対象項目名】０００５
【補正方法】変更
【補正の内容】
【０００５】
申告された利用可能なモデルへの、技術的観点から最も近いものは、自動車のための可搬式トイレットである（例えば、非特許文献１参照）。このトイレットは、シートが配置されたケースと、排泄物を収集するためのパッケージと、吸収エレメントとを有する可搬式衛生モジュールを示している。吸収エレメント（材料）は、あらゆる表面及び容器の迅速かつ有効なクリーニングのために適用される。
【非特許文献１】http://www.avto.ru/news/news_6442.html
(57)【要約】      （修正有）【課題】ピアスのように耳に穴を空けたり、又バネやネジ式のイヤリングと異なり、装着時の痛み、圧迫感、不快感、重さを感じることがなく、長時間でも着用出来、外耳道に引っ掛るため、はずれにくく、取り付け、取り外しが容易なイヤリングを提供する。【解決手段】本体１と耳を装脱着する部分に３〜４ｍｍの間隔２を空けて、耳の前面ハグボタン大３と耳の裏側ハグボタン小４をつけて外耳道に装着したことにより、耳を傷つけることなく、装着時の不快感、重さ、圧迫感、痛み等を解消した。【選択図】図１
0003149808.tif 000002
【実用新案登録請求の範囲】
【請求項１】
ハグ・イヤリング本体の装脱着する部分に大小の円形あるいは楕円形のハグボタンを前後３〜４ｍｍの間隔を空けて取り付けたことにより耳を傷つけることなく容易に上部耳介にハグボタンを抱きかかえるように挟み込み、耳介に沿って下方にスライドさせ、耳たぶ上部の外耳道に止まったところで装着が完了し、外耳道に圧迫固定していないため、イアリングは自在に動くが容易に脱着することはなく、取り外すときは装着時の反対方向にスライドさせて容易に取り外すことが出来るようにしたハグ・イヤリングである。
【考案の詳細な説明】
【技術分野】
【０００１】本考案は、本体の留め金部分に大小の円形あるいは楕円形のハグボタンを設けたハグ式イアリングに関するものである。
【技術背景】
【０００２】ピアス式イヤリングの場合、耳に穴を空けなければならない。ねじ、バネ、クリップ式イヤリングの場合、長い時間装着していると痛みと圧迫感、痺れがあり不快感も伴う。
【考案の概要】
【考案が解決しようとする課題】
【０００３】ピアス式イヤリングに関しては、耳に穴を空ける為の費用がかかり穴を空けた部分が化膿してしまうことがある。さらに術後、約１ヶ月間は、毎日消毒をしなければならない。穴が安定するまでは、穴が閉じてしまわない様に常に調整しなければならないという手間がかかる。また人によっては、金属の種類によってアレルギーを起こしやすい。留め金と本体が差し込み式になっているので、アッタチメントが紛失すると、部品を新たに購入する必要がある。アッタチメントは紛失しやすい。
ネジ、バネ式イヤリングに関しては、装脱着が面倒で長時間装着したときに痛みや圧迫感がある。耳から脱落しやすく紛失しやすい。装着したときに違和感がかなり生じる。又、長時間装着していると、痛みが生じ、使用したくなくなってしまう。特に外出時、途中で耳の痛みや、頭痛等で取り外した場合、紛失することが多い。
クリップ式イヤリングに関しては、耳介に装着するため、人によっては、耳に痺れや痛みを伴うことがある。
したがって、このハグ式イヤリングは、留め金にバネ、ネジを使用しておらず、本体のハグ部分に前後３〜４ｍｍの間隔をあけ、大小のハグボタンをつけて、ハグボタンで外耳道と耳の裏側を優しく抱きかかえる様にひっかける事により、ピアス、ネジ式、クリップ式イヤリングの欠点を解決しようとするものである。
【課題を解決するための手段】
【０００４】本考案は、留め金部分にバネやネジもなく、差込み式やクリップ式とも異なり、本体と耳をハグさせる部分に前後３〜４ｍｍの間隔をあけて、その両側の先端部分に円形あるいは楕円形のハグボタンをつけることにより、ピアス、ネジ、バネ、クリップ式イヤリングの問題点を解決している。
【考案の効果】
【０００５】上述のように本考案のハグ式イヤリングは、本体ハグ部分に、円形あるいは楕円形のハグボタンを３〜４ｍｍの間隔をあけて設けたことにより、その本体と一体化している大小２つのハグボタンを耳の上部耳介を抱きかかえるように挟み、そのまま下方にスライドさせていくと、耳たぶ上部の外耳道に自然に止まり、簡単に装着が完了する。ハグ式は耳の引っ掛かった部分に圧力がかからない為、痛み、不快感、重さも感じる事がなく長時間着用できる。外耳道に引っ掛かっている為はずれにくく、取り付け取り外しが容易である。後ろのハグボタンが前のハグボタンより小さくなっており好きなチャームを入れて楽しむことが出来る。本体の形は、ハート形になっており外見も愛らしい。ハグボタンが円形あるいは楕円形で、この部分で耳を挟みこんで装着するような構造になっているので耳を傷つける事はない。
【図面の簡単な説明】
【０００６】
【図１】ハグ・イヤリングの側面図である。
【図２】耳介の上部にハグボタンを抱きかかえるように挟み、耳たぶ真上の外耳道に向かって下方にスライドさせている図である。
【図３】Ａ  耳たぶ上部の外耳道に止まるまでスライドさせて引っかけたところを前方から見た図である。Ｂ  後方から見た図である。
【考案を実施するための形態】
【０００７】耳の上部耳介にハグボタンを挟みそのまま下方にスライドさせて耳たぶ上部外耳道に止まったところで装着が完了する。外耳道に圧迫して固定されていないのでイヤリングは自在に可動するが容易に脱着することはない。取り外すときは、装着したときと反対方向にそのまま耳介上部までスライドさせれば容易に取り外せる。
【符号の説明】
【０００８】１  ハグ・イヤリング本体ハート形
２  前方ハグボタン  大
３  後方ハグボタン  小
４  前後ハグボタンの間隔  ３〜４ｍｍ
【図１】
0003149808.tif 000003
【図２】
0003149808.tif 000004
【図３】
0003149808.tif 000005
(57)【要約】      （修正有）【課題】箸置き用の部分として使えるよう、箸の一部に切れ込みをいれた割り箸を提供する。【解決手段】割り箸の簡単に折ることの出来る性質を利用し、割り箸１を使うとき上部となる一端から箸が置ける程度の幅２を取った位置に箸１の長手方向に対し横方向に箸置き用の切れ目３を入れて、割り箸を構成する。使用するときには、横方向に切れ目３を入れた部分で折り切り、それを箸置きとして置きその上に箸を置くようにする。箸置きを必要としない時は、あえて折らずにそのまま使えばよく、この切れ目がデザイン的な効果も発揮し、安価に製造出来ることで多くの人に利用してもらう事が出来る。【選択図】図１
0003149807.tif 000002
【実用新案登録請求の範囲】
【請求項１】
割り箸▲１▼を縦にしたとき  上部より  箸が置ける程度の幅の位置に  箸置き部分▲２▼を取り  箸▲１▼の長手方向に対し横方向に  切れ目▲３▼を入れた  箸置き用の切れ目入り割り箸。
【考案の詳細な説明】
【技術分野】
【０００１】本案は割り箸に  箸置き用の切れ目を入れた考案である。
【背景技術】
【０００２】従来、割り箸に限らず箸の一部を切り取って箸置きに出来るように加工されている箸は無かった、
【考案の開示】
【考案が解決しようする課題】
【０００３】本案は使い捨ての割り箸であっても、いつでも箸先が少し浮くように置けるようにした考案であり、口に入る箸先は衛生上の観点からもテーブル上に直接置かないで済むようにした考案である。
【課題を解決するための手段】
【０００４】本案は割り箸の簡単に折ることの出来る性質を利用し  割り箸▲１▼を使うとき上部となる一端から箸が置ける程度の幅▲２▼を取った位置に  箸▲１▼の長手方向に対し横方向に切れ目▲３▼を入れた、箸置き用の切れ目入り割り箸。
【考案の効果】
【０００５】本案を利用するときには、横方向に切れ目▲３▼を入れた部分で折り切り、それを箸置きとして置き  その上に箸を置くようにする  箸置きを必要としない時は  あえて折らずにそのまま使えばよく、この切れ目がデザイン的な効果も発揮し、安価に製造出来ることで多くの人に利用してもらう事が出来る。
【考案を実施するための最良の形態】
【０００６】以下、添付図面に従って本案の構造を説明する  割り箸▲１▼を使うとき  上部となる一端から箸が置ける程度の幅  箸置き部分▲２▼を取った位置に  箸▲１▼の長手方向に対し横方向に切れ目▲３▼を入れた、箸置き用の切れ目入り割り箸。【０００７】本案を使用するときには  横方向に切れ目▲３▼を入れた部分で折り切り  その部分を箸置きとして置きその上に  箸を休めたい時に置く。
上記のような構造をしたものを基本とする。【０００８】
【図面の簡単な説明】
【０００９】
【図１】  本考案の斜視図
【図２】  本考案の側面図
【図３】  本考案使用した状態の斜視図
【符号の説明】    ▲１▼  箸
▲２▼  箸置き部分
▲３▼  横方向に入れた切れ目
【図１】
0003149807.tif 000003
【図２】
0003149807.tif 000004
【図３】
0003149807.tif 000005
(57)【要約】      （修正有）【課題】米類を湿度が一定の状態に保つことができ、電子レンジ等を用いて再加温するときでも炊飯時と同様な状態で米類を食することができる電気炊飯器用内蓋を提供する。【解決手段】電気炊飯器の内蓋を木製その他の材質で作成し、かかる内蓋の裏部に多数の凹部又は凸部を作り電気炊飯器で炊飯した米類の上に置いて米類を保存する。【選択図】図２
0003149809.tif 000002
【実用新案登録請求の範囲】
【請求項１】
円形状の蓋の裏部に多数の凹部又は凸部を有する電気炊飯器用内蓋
【考案の詳細な説明】
【技術分野】
【０００１】円形状の蓋の裏部に多数の凹部、又は凸部を有する電気炊飯器用内蓋
【背景技術】
【０００２】従来は電気炊飯器用の内蓋は存在しなかった。
鍋用の蓋及び鍋用の落とし蓋は存在したが、本考案は電気炊飯器で米類を炊飯した後に電気炊飯器を保温状態にした時、及び保温状態にしない時でも電気炊飯器の内蓋に用いることを特徴とするものである。
従来は米類を電気炊飯器で炊飯した後の保存方法として、電気炊飯器より米類を取り出し、特別の容器に入れ、冷蔵庫で保存し、食事の際に電子レンジで再加温して食していた。しかしこの方法では、特別の容器に移し替える手間があり、且つ米類が冷えた後でなければ使用出来ない不便があり、又比較的短時間の後に食事をする際は手間がかかることもあった。且つ特別の容器に入れ替える方法では良くて電気炊飯器で炊飯した状態で食事ができるだけでありそれ以上の効果は期待できなかった。又電気炊飯器でそのまま保存状態にしておいた場合は、米類の蒸気が上へ逃げるため、保存状態にしておいた米類の上部が乾燥してしまうため、米類の味が落ちるのが現状であった。
【考案の概要】
円形状の蓋の裏部に多数の凹部、又は凸部を有することを特徴とする電気炊飯器用内蓋
【考案が解決しようとする課題】［電気炊飯器で炊飯後と同じ状態又は、それ以上に美味しく電気炊飯器で炊飯した米類を食することを課題とする。］
【課題を解決するための手段】［電気炊飯器で米類を炊飯した後、円形状の蓋の裏部に多数の凹部又は凸部を有することを特徴とする電気炊飯器用の内蓋を、炊飯した米類の上部に直接に置き、電気炊飯器を保温状態とし、あるいは保温状態としない場合でも米類の上部に直接に置き保存する。］
【考案の効果】［本考案した電気炊飯器用内蓋は、その裏部に多数の凹部又は凸部を有するため直接に炊飯後の米類に接する面が少ないため炊飯直後の状態で米類を食することができる。特に炊飯後の米類より出る蒸気は電気炊飯器用内蓋の凹部に溜まり電機炊飯器内部の温度が下がってくると共に米類の上部に還流するため米類に湿度が一定の状態に保つことができ、電子レンジ等を用いて再加温するときでも炊飯時と同様な状態で米類を食することができる。特に電気炊飯器内蓋を木製とした場合は、木の香りが米類についており特に美味しく米類を食することができる。］
【図面の簡単な説明】
【図１】［図１は電気炊飯器用内蓋の上部である］
【図２】［図２は電気炊飯器用内蓋の裏部であり、点線部分は凹部を示す。］
【図３】［図３は電気炊飯器用内蓋の裏部であり、点線部分は凸部を示す。］
【考案を実施するための形態】
［電気炊飯器用内蓋として実施する。］
【産業上の利用可能性】［家庭用電気炊飯器の使用に際して利用出来る。］
【図１】
0003149809.tif 000003
【図２】
0003149809.tif 000004
【図３】
0003149809.tif 000005